(57)【要約】【課題】軽量で最大搭載荷重を大きくしつつ安価に製造でき、幅方向に連結して複数の幅寸法の棚板を組立てが可能な連結式棚板を提供する。【解決手段】棚板１は、複数の棚板１を互いの側面１ａの係合用溝１ｂ、１ｃを対向させて配置した際の合わせ面の間隙部において、係合用溝１ｂ、１ｃ各々に嵌合する断面形状を有し、間隙部に装入されて用いられる連結材であるＡ型ジョイント２及びＢ型ジョイント３を具備しており、Ａ型ジョイント２及びＢ型ジョイント３は各々長手方向の全長寸法が棚板１のそれと等しく、２枚の棚板１の側面１ａを合わせた間隙部に装着されて棚板１同士の連結材として用いられ、Ｂ型ジョイント３はそれ自体が補強部材としての役割を有し、３枚以上の棚板１が連結される場合に用いられる。【選択図】図３
2015126831.tif 000002
【特許請求の範囲】
【請求項１】
一対の棚受上にその長手方向の両端がそれぞれ載置されて支持される棚板において、該棚板は、
一方又は両方の長手方向の側面に当該棚板と同一形状の棚板との連結用係止部を備えており、
上記棚板の長さ方向と直角の断面形状は、全長に亘って上記棚板のたわみ防止用部材の装入部を有している、
ことを特徴とする連結式棚板。  
【請求項２】
上記連結式棚板は、複数の上記棚板を互いの上記側面の上記係止部を対向させて配置した際の合わせ面の間隙部において、上記係止部の各々に嵌合する断面形状を有し、上記間隙部に装入されて用いられる連結材を具備することを特徴とする、請求項１に記載の連結式棚板。
【請求項３】
上記連結材は上記合わせ面から上記棚板の上面に突出する仕切り板を有していることを特徴とする、請求項２に記載の連結式棚板。
【請求項４】
上記連結式棚板は、上記棚板の端部側面の上記係止部に嵌合する断面形状を有し、上記係止部に係合されて用いられる連結材であって、上記棚板の上面に突出する仕切り板を有しているものを具備することを特徴とする、請求項１に記載の連結式棚板。
【請求項５】
上記棚板及び連結材の材質はプラスチックであることを特徴とする、請求項１ないし４に記載の連結式棚板。
【請求項６】
上記棚板の材質は木材であることを特徴とする、請求項１ないし４に記載の連結式棚板。
【発明の詳細な説明】
【技術分野】
【０００１】
本発明は、連結式棚板に関する。
【背景技術】
【０００２】
合成樹脂から形成された中空の棚板本体と、棚板本体の中空空間内に収容された金属製補強材とを具備し、棚板本体の下面に一対のダボ受け凹部を形成し、収納設備に設けられたダボをこれらダボ受け凹部内に受容させることにより支持される棚板が公知である（特許文献１参照）。このようにすると、剛性を確保しつつ棚板を軽量化することができる。
【０００３】
また、最大搭載荷重を大きくしつつ安価に製造することができる棚板及び棚を提供するべく、合成樹脂から形成された棚板本体を具備し、棚板本体の荷受板部分の幅方向両側縁からそれぞれ下方に突出する一対の側壁部分と、その中間部に配設される補強部分を具備する棚板が公知である（特許文献２参照）。
【先行技術文献】
【特許文献】
【０００４】
【特許文献１】特許第２９１６８７５号公報
【特許文献２】特許第４０９０４７９号公報
【発明の概要】
【発明が解決しようとする課題】
【０００５】
しかしながら、特許文献１の棚板は家具、厨房装置、洗面化粧台などの収納設備に用いられるものであり、工場や倉庫などで使用される棚板又は棚のように例えば２００ｋｇ程度の最大荷重に耐えることができないおそれがある。即ち、棚板が長手方向に撓み、棚板がダボから外れ落ちるおそれがあるという問題点がある。この場合、棚板の肉厚を大きくしたり補強材の数を増やしたりすると、製造コストが増大する。
【０００６】
この問題点を解決するべく提案された特許文献２の棚板についても搭載荷重が大きくなると合成樹脂から形成された棚板本体の強度が不十分であって棚板の長手方向に撓みが生じ、合成樹脂の棚板本体部に割れ等の損傷が生じることがあった。
【０００７】
そこで本発明は、軽量で最大搭載荷重を大きくしつつ安価に製造することができ、さらに幅方向に連結することにより、複数の幅寸法の棚を組み立てることができる連結式棚板を提供することを課題とする。
【課題を解決するための手段】
【０００８】
上記課題を解決するために、請求項１の発明は、一対の棚受上にその長手方向の両端がそれぞれ載置されて支持される棚板において、棚板は一方又は両方の長手方向の側面に当該棚板と同一形状の棚板との連結用係止部を備えており、棚板の長さ方向と直角の断面形状は、全長に亘って棚板のたわみ防止用部材の装入部を有していることを特徴とする。  
請求項２の発明は、さらに、連結式棚板は、複数の棚板を互いの側面の係止部を対向させて配置した際の合わせ面の間隙部において、係止部の各々に嵌合する断面形状を有し、間隙部に装入されて用いられる連結材を具備することを特徴とする。
請求項３の発明は、さらに、連結材は合わせ面から棚板の上面に突出する仕切り板を有していることを特徴とする。
請求項４の発明は、さらに、連結式棚板は棚板の端部側面の係止部に嵌合する断面形状を有し、係止部に係合されて用いられる連結材であって、棚板の上面に突出する仕切り板を有しているものを具備することを特徴とする。
請求項５の発明は、さらに、棚板及び連結材の材質はプラスチックであることを特徴とする。
請求項６の発明は、さらに、棚板の材質は木材であることを特徴とする。
【発明の効果】
【０００９】
軽量でしかも最大搭載荷重の大きい棚板を安価に製造することができる。
また、幅方向に連結することにより棚板の幅の２倍〜４倍の幅を有する棚板とすることができる。
さらに、連結用の部材により棚板の幅方向の中間や端部に長手方向全長に亘る仕切り板を容易に設置することができる。
【図面の簡単な説明】
【００１０】
【図１】棚の全体斜視図である。
【図２】連結式棚板の構成部品の組み立て斜視図である。
【図３】連結式棚板の断面図であり、（ａ）は２枚の棚板の、（ｂ）は３枚の棚板の、（ｃ）は４枚の棚板の連結状態を示す。
【図４】棚板の断面図である。
【図５】Ａ型ジョイントの断面図であり、（ａ）は組み立て状態、（ｂ）は単独の状態を示す。
【図６】Ｂ型ジョイントの断面図であり、（ａ）は組み立て状態、（ｂ）は単独の状態を示す。
【図７】Ｃ型ジョイントの断面図であり、（ａ）は組み立て状態、（ｂ）は単独の状態を示す。
【図８】Ｄ型ジョイントの断面図であり、（ａ）は組み立て状態、（ｂ）は単独の状態を示す。
【発明を実施するための形態】
【００１１】
以下に、本発明の実施形態について図を用いて説明する。まず、本実施形態の構成及び機能について説明する。
図１〜図４に示すように、棚板１は一対の棚受３０上にその長手方向の両端がそれぞれ載置されて支持されており、棚板１は、一方又は両方の長手方向の側面１ａに棚板１ともう１枚の棚板１との連結用として２つの第１の溝１ｂと、２つの第２の溝１ｃを備えており、棚板１の長さ方向と直角の断面形状は、全長に亘って棚板１のたわみ防止用部材（不図示）の装着用のガイド１ｈ及び１ｉを有している。
【００１２】
連結式棚板は複数の棚板１を互いの側面１ａの係合用溝１ｂ、１ｃを対向させて配置した際の合わせ面の間隙部において、係合用溝１ｂ、１ｃ各々に嵌合する断面形状を有し、間隙部に装入されて用いられる連結材であるＡ型ジョイント２及びＢ型ジョイント３を具備している。
【００１３】
連結式棚板は他の連結材として棚板１同士の合わせ面から棚板１の上面１ｄに突出する仕切り板４ｃを有しているＣ型ジョイント４を具備している。
【００１４】
連結式棚板は、この他に、棚板１の端部側面１ａの係合用溝１ｂ、１ｃに嵌合する断面形状を有し、係合用溝１ｂ、１ｃ係合されて用いられる連結材であって、棚板１の上面に突出する仕切り板５ｃを有するＤ型ジョイント５を具備している。以下、この棚板１と上述の各種ジョイントを合わせて連結式棚板Ｗと呼ぶ。
【００１５】
棚板１及び連結材は例えばポリ塩化ビニルから形成される。ポリ塩化ビニルは耐炎性を有し、リサイクルが可能である点や、金属と比較して錆びることがなく、耐候性がよいという点で好ましい。
棚板１は木材その他の軽量の材料を使用して制作してもよい。
【００１６】
棚板１の断面は図４に示すように、上面１ｄ、下面１ｅ及び両側面１ａによって囲まれた矩形形状をなしている。両側面１ａには各々第１の溝１ｂが２か所、第２の溝１ｃが２か所棚板１の厚さ方向に対称に配設されている。これらの溝は後述する各種ジョイント２〜５の係合部が嵌合する部分である。
【００１７】
矩形形状の内部には４か所の隅部にリブ１ｆが配設され、中央部にはハの字型に上面側から下面側に向かって開いた態様でリブ１ｇが配設されている。
さらに、左右のリブ１ｆの内側には上下面の対向する位置にガイド１ｈが配設され、中央のリブ１ｇの内側にはガイド１ｉがハの字型に開いた態様で配設されている。これらのガイド１ｈ、１ｉはそれらの内側に金属や木材等の補強材を装着するためのスペースを構成している。これらのスペースに長手方向端部から補強材を挿入して装着することで棚板１にさらなる強度を付与することができる。
【００１８】
Ａ型ジョイント２は、長手方向の全長寸法が棚板１のそれと等しく、図２、図３（ａ）〜（ｃ）及び図５（ａ）に示すように、２枚の棚板１の側面１ａを合わせた間隙部に装着されて棚板１同士の連結材として用いられる。
Ａ型ジョイント２には図５（ｂ）に示すように、断面の上端部、下端部の左右に各々１つずつ第１の係合部２ａが配設され、中央部の上下左右にも各々１つずつ第２の係合部２ｂが配設されている。上記連結材として棚板１の側面１ａと嵌合する際、第１の係合部２ａは棚板１の溝１ｂと、第２の係合部２ｂは棚板１の溝１ｃと各々係合される。
【００１９】
Ｂ型ジョイント３も長手方向の全長寸法が棚板１のそれと等しく、図２、図３（ｂ）、（ｃ）及び図６（ａ）に示すように、２枚の棚板１の側面１ａを対向させて配置した中間部に装着されて棚板１同士の連結材として用いられる。Ｂ型ジョイント３はそれ自体が補強部材としての役割を有しており、３枚以上の棚板１が連結される場合に、幅方向の強度が低下しないように、具体的にはＡ型ジョイント２が２か所で用いられないように連結材として用いられる。
【００２０】
Ｂ型ジョイント３には図６（ａ）、（ｂ）に示すように、Ａ型ジョイント２と異なり棚板１と同一の厚さ（鉛直方向）を有しており、また、水平方向に所定の幅寸法を有している。断面の上部近傍と下部近傍の左右に各々１つずつ第１の係合部３ａが配設され、中央部の上下左右にも各々１つずつ第２の係合部３ｂが配設されている。上記連結材として棚板１の側面１ａと嵌合する際、第１の係合部３ａは棚板１の溝１ｂと、第２の係合部３ｂは棚板１の溝１ｃと各々係合される。
【００２１】
Ｃ型ジョイント４も長手方向の全長寸法が棚板１のそれと等しく、図２及び図７（ａ）に示すように、２枚の棚板１の側面１ａを合わせた間隙部に装着されて棚板１同士の連結材として用いられる。Ｃ型ジョイント４の２枚の棚板１に挟まれる部分の断面形状はＡ型ジョイント２と同一であり、その部分の上端部及び下端部からはそれぞれ上方及び下方に延長される板状の部材が設けられている。上方へ延長される部材はストッパー４ｃとして棚板１の上面１ｄから突出し、連結式棚板の手前側と奥側とを分ける仕切り板として機能する。
【００２２】
Ｄ型ジョイント５も長手方向の全長寸法が棚板１のそれと等しく、図２及び図８（ａ）に示すように、棚板１の側面１ａに装着されて棚板１の端部側面１ａにおける仕切り板として用いられる。Ｄ型ジョイント５の棚板１に係合する部分の断面形状はＡ型ジョイント２と同一であり、その部分の上端部及び下端部からそれぞれ上方及び下方に延長される板状の部材が設けられている。上方へ延長される部材はストッパー５ｃとして棚板１の上面１ｄから突出し、棚板１の端部側面１ａに設けられる仕切り板として機能する。また、Ｄ型ジョイント５は長手方向の寸法を所定の短いものとすれば、棚板１の通路に面した側の側面に設けられる
ネームプレートとしても使用できる。
【００２３】
次に本実施形態の効果について説明する。
棚板１はＡ型ジョイント２及びＢ型ジョイント３を用いて図３（ａ）〜（ｃ）に示すように幅方向に連結して用いることで、種々のサイズの連結式棚板として使用することができる。
また、上記で得られる連結式棚板Ｗは、例えば特許文献１に記載の棚板と比較して載荷時の耐荷重性が増大している。すなわち、上記のいずれかのジョイントを使用して幅方向に連結した連結式棚板Ｗと、これと同一幅の従来の棚板とを比較した場合に、撓み量を小さく抑えることができる。これは棚板１の断面形状を上記のようなボックス状にし、かつ簡易な構成で幅方向に連結できるようにした効果である。
【００２４】
Ｂ型ジョイント３は連結機能のみのＡ型ジョイント２と異なり、それ自体が耐荷重性を有しており、３枚以上の棚板１を連結する際に連結材として図３に示すような態様で用いることで連結式棚板Ｗ全体の耐荷重性を向上させることができる。また、必要に応じ、上述のように棚板１の内部の補強材装着スペースに上記補強材を挿入して連結式棚板Ｗのさらなる強度アップを図ることもできる。
さらに、Ｃ型ジョイント４やＤ型ジョイント５を用いることで、従来は困難であった棚板の幅方向中間部のストッパーや、棚板の端部のストッパーが棚板の全長に亘って極めて容易に設置でき、ネームプレートの交換なども容易に行える。
【００２５】
以上説明した本実施形態の連結式棚板は、従来の棚板の多くが金属製であったものを樹脂化して軽量化し、その結果問題となった耐荷重性については断面形状と連結方式さらには補強材の装着によりこれを向上させたものであり、軽量化、完全ボルトレス化に加えて、寸法・荷重のニーズにフレキシブルな対応を可能としたものである。
【００２６】
具体的には、積載する商品の段荷重（５０ｋｇ、７０ｋｇ、１００ｋｇ、２００ｋｇ、３００ｋｇ）により、補強材を挿入してニーズに合わせた荷重の設定が可能となる。また連結式棚板の幅寸法としては、ジョイントと組み合わせることで３００Ｄ、４５０Ｄ、６００Ｄ、９００Ｄの奥行きに対応することができる。
【符号の説明】
【００２７】
１  棚板
１ａ  側面
１ｂ  第１の溝
１ｃ  第２の溝
１ｄ  上面
１ｅ  下面
１ｆ  第１のリブ
１ｇ  第２のリブ
１ｈ  第１のガイド
１ｉ  第２のガイド
２  Ａ型ジョイント
２ａ  第１の係合部
２ｂ  第２の係合部
３  Ｂ型ジョイント
３ａ  第１の係合部
３ｂ  第２の係合部
４  Ｃ型ジョイント
４ａ  第１の係合部
４ｂ  第２の係合部
４ｃ  ストッパー
５  Ｄ型ジョイント
５ａ  第１の係合部
５ｂ  第２の係合部
５ｃ  ストッパー
１０  棚
２０  支柱
３０  棚受
Ｗ  連結式棚板
【図１】
2015126831.tif 000003
【図２】
2015126831.tif 000004
【図３】
2015126831.tif 000005
【図４】
2015126831.tif 000006
【図５】
2015126831.tif 000007
【図６】
2015126831.tif 000008
【図７】
2015126831.tif 000009
【図８】
2015126831.tif 000010